【手続補正書】
【提出日】平成18年12月12日(2006.12.12)
【手続補正１】
【補正対象書類名】特許請求の範囲
【補正対象項目名】請求項１
【補正方法】変更
【補正の内容】
【請求項１】
強誘電性（キラルスメクティック）液晶混合物を含むアクティブマトリックスディスプレイであって、該液晶混合物が、ＳｍＣ＊相の層法線ｚの明瞭に定義された方向を有する単一ドメインの形態の液晶層（ここで層法線ｚおよびネマティックまたはコレステリック相（Ｎ＊相）の選択的方向ｎは、５°より大きい角度を形成する）中に、少なくとも１種の式（Ｉ）、
【化１】
2002532613.tif 000001
で表される化合物を含み、式中、記号は以下のようにして定義される：
Ｒ１、Ｒ２は、互いに独立して、同一であるかまたは異なっており、各々、
ａ）水素、フッ素またはＣＮ
２〜１６個の炭素原子を有する直鎖状または分枝状アルケニル、アルケニルオキシ、アルキルまたはアルキルオキシ基（不斉炭素原子を有するかまたは有しない）、ここで
ｂ１）１つまたは２つの非末端−ＣＨ２−基は、−Ｏ−、−ＯＣ（＝Ｏ）−、−（Ｃ＝Ｏ）、−Ｃ（＝Ｏ）Ｏ−、−Ｓｉ（ＣＨ３）２−、−ＣＨ（Ｃｌ）−により置換されていてもよく、および／または１つまたは２つの−ＣＨ２−基は、−ＣＨ＝ＣＨ−または−Ｃ≡Ｃ−により置換されていてもよく、
および１つまたは２つ以上のＨ原子は、Ｆにより置換されていてもよく、および／または
ｂ２）１つまたは２つ以上の−ＣＨ２−基は、フェニレン−１，４−ジイル（Ｆにより非置換、一置換または二置換されている）、フェニレン−１，３−ジイル（Ｆにより非置換、一置換または二置換されている）、シクロヘキサン−１，４−ジイル（ＦまたはＣＮにより非置換または一置換されている）またはシクロプロパン−１，２−ジイルにより置換されていてもよく、
および１つまたは２つ以上のＨ原子は、Ｆにより置換されていてもよく、
ただし、基Ｒ１、Ｒ２の１つのみは、水素、ＦまたはＣＮであることができ、２つの隣接する−ＣＨ２−基は、−Ｏ−により置換することができず、
Ｍ１、Ｍ２は、互いに独立して、同一であるかまたは異なっており、各々
【化２】
2002532613.tif 000002
または単結合であり、
Ａ１、Ａ２、Ａ３は、互いに独立して、同一であるかまたは異なっており、各々シクロヘキサン−１，４−ジイル（Ｆ、ＣＨ３、ＣＮにより非置換または一置換されている）、シクロヘキス−１−エン−１，４−ジイル、シクロヘキス−２−エン−１，４−ジイル、２−オキソシクロヘキサン−１，４−ジイル、２−シクロヘキセン−１−オン−３，６−ジイル、１−アルキル−１−シラシクロヘキサン−１，４−ジイル、ビシクロ［２．２．２］オクタン−１，４−ジイル、スピロ［４．５］デカン−２，８−ジイル、スピロ［５．５］ウンデカン−３，９−ジイル、フェニレン−１，４−ジイル（ＣＮ、ＣＨ３、ＣＦ３、ＯＣＨ３により非置換、一置換または二置換されており、Ｆにより非置換、一置換、二置換、三置換または四置換されている）、フェニレン−１，３−ジイル（ＣＮ、ＣＨ３、ＣＦ３、ＯＣＦ３により非置換、一置換または二置換されており、Ｆにより非置換、一置換、二置換、三置換または四置換されている）、チオフェン−２，５−ジイル、チオフェン−２，４−ジイル、（１，３，４）−オキサジアゾール−２，５−ジイル、（１，３，４）−チアジアゾール−２，５−ジイル、１，３−チアゾール−２，５−ジイル、１，３−チアゾール−２，４−ジイル、（１，３）−オキサゾール−２，５−ジイル、イソオキサゾール−２，５−ジイル、インダン−２，６−ジイル、ナフタレン−２，６−ジイル（ＦまたはＣＮにより非置換、一置換または二置換されている）、１，２，３，４−テトラヒドロナフタレン−２，６−ジイル、デカリン−２，６−ジイル、ピリミジン−２，５−ジイル（Ｆにより非置換または一置換されている）、ピリジン−２，５−ジイル（Ｆにより非置換、一置換または二置換されている）、ピラジン−２，５−ジイル（Ｆにより非置換または一置換されている）、ピリダジン−３，６−ジイル、キノリン−２，６−ジイル、キノリン−３，７−ジイル、イソキノリン−３，７−ジイル、キナゾリン−２，６−ジイル、５，６，７，８−テトラヒドロキナゾリン−２，６−ジイル、キノキサリン−２，６−ジイル、１，３−ジオキサン−２，５−ジイル（ＣＮにより非置換または一置換されている）、ベンゾチアゾール−２，６−ジイル、ピペリジン−２，４−ジイル、ピペラジン−１，４−ジイルであり、
Ｂ１は、シクロヘキサン−１，４−ジイル（Ｆ、ＣＨ３、ＣＮにより非置換、一置換または二置換されている）、ペルフルオロシクロヘキサン−１，４−ジイル、シクロヘキス−１−エン−１，４−ジイル、シクロヘキス−２−エン−１，４−ジイル、１−アルキル−１−シラシクロヘキサン−１，４−ジイル、ビシクロ［２．２．２］オクタン−１，４−ジイル、シクロペンタン−１，３−ジイル、シクロヘプタン−１，４−ジイル、テトラヒドロフラン−２，５−ジイル、テトラヒドロフラン−２，４−ジイル、フェニレン−１，４−ジイル（ＣＮ、ＣＨ３、ＣＦ３、ＯＣＦ３により非置換、一置換または二置換されており、Ｆにより非置換、一置換、二置換、三置換または四置換されている）、フェニレン−１，３−ジイル（ＣＮ、ＣＨ３、ＣＦ３、ＯＣＦ３により非置換、一置換または二置換されており、Ｆにより非置換、一置換、二置換または三置換されている）、チオフェン−２，５−ジイル（Ｆにより非置換または一置換されている）、チオフェン−２，４−ジイル（Ｆにより非置換または一置換されている）、１，３−チアゾール−２，５−ジイル（Ｆにより非置換または一置換されている）、１，３−チアゾール−２，４−ジイル（Ｆにより非置換または一置換されている）、（１，３，４）−チアジアゾール−２，５−ジイル、１，３−ジオキサン−２，５−ジイル（ＣＮにより非置換または一置換されている）、テトラヒドロピラン−２，５−ジイル、６，６−ジフルオロテトラヒドロピラン−２，５−ジイル、６，６−ジフルオロ−２，３−ジヒドロ−６Ｈ−ピラン−２，５−ジイル、６−フルオロ−３，４−ジヒドロ−２Ｈ−ピラン−２，５−ジイル、ピペリジン−１，４−ジイル、ピペラジン−１，４−ジイル、ピリミジン−２，５−ジイル（Ｆにより非置換または一置換されている）、ピリジン−２，５−ジイル（Ｆにより非置換または一置換されている）、１，２，３，４−テトラヒドロナフタレン−２，６−ジイル、デカリン−２，６−ジイルであり、
B２は、シクロヘキサン−１，４−ジイル（Ｆ、ＣＨ３、ＣＮにより非置換、一置換または二置換されている）、シクロヘキス−１−エン−１，４−ジイル（Ｆにより非置換または一置換されている）、シクロヘキス−２−エン−１，４−ジイル、１−アルキル−１−シラシクロヘキサン−１，４−ジイル、ビシクロ［２．２．２］オクタン−１，４−ジイル、フェニレン−１，４−ジイル（ＣＮ、ＣＨ３、ＣＦ３、ＯＣＦ３により非置換、一置換または二置換されており、Ｆにより非置換、一置換、二置換、三置換または四置換されている）、フェニレン−１，３−ジイル（ＣＮ、ＣＨ３、ＣＦ３、ＯＣＦ３により非置換、一置換または二置換されており、Ｆにより非置換、一置換、二置換または三置換されている）、チオフェン−２，５−ジイル、チオフェン−２，４−ジイル、１，３−チアゾール−２，５−ジイル、１，３−チアゾール−２，４−ジイル、（１，３，４）−チアジアゾール−２，５−ジイル、１，３−ジオキサン−２，５−ジイル（ＣＮにより非置換または一置換されている）、テトラヒドロフラン−２，５−ジイル、テトラヒドロピラン−２，５−ジイル、６，６−ジフルオロテトラヒドロピラン−２，５−ジイル、６，６−ジフルオロ−２，３−ジヒドロ−６Ｈ−ピラン−２，５−ジイル、６−フルオロ−３，４−ジヒドロ−２Ｈ−ピラン−２，５−ジイル、ピリミジン−２，５−ジイル（Ｆにより非置換または一置換されている）、ピリジン−２，５−ジイル（Ｆにより非置換または一置換されている）、インダン−２，６−ジイル、ピペリジン−１，４−ジイル、ピペラジン−１，４−ジイル、ピリミジン−２，５−ジイル（Ｆにより非置換または一置換されている）であり、
Ｘは−（ＣＨ２）ｎ−であり、ここで、
ａ）１つまたは２つの−ＣＨ２−基は、−Ｏ−または−Ｃ（＝Ｏ）−により置換されていてもよく、および／または
ｂ）１つの−ＣＨ２ＣＨ２−基は、−ＣＨ＝ＣＨ−により置換されていてもよく、−ＣＨ２−基の１つまたは２つ以上のＨはＦにより置換されていてもよく、
ただし、
１）ｎは２，３または４であり、
２）２つの隣接する−ＣＨ２−基は、−Ｏ−により置換することができず、
ａ、ｂ、ｃは各々０、１または２であり、ただし、
１）ａは、Ｒ１が水素、ＦまたはＣＮである際には、１でなければならず、
２）ａ＋ｂ＋ｃの合計は、少なくとも１であり、
３）かっこ内の基ＡおよびＭは、それぞれ、対応する指数が２である際には同一であっても異なっていてもよい、
である、前記アクティブマトリックスディスプレイ。
【手続補正２】
【補正対象書類名】特許請求の範囲
【補正対象項目名】請求項６
【補正方法】変更
【補正の内容】
【請求項６】
液晶混合物が、３〜３０種類の化合物から構成されており、式（Ｉ）の少なくとも１種の化合物および以下の式（ＩＩ）の少なくとも１種の化合物および、所望により以下の式（ＩＩＩ）の少なくとも１種の化合物を含む、請求項１〜５のいずれかに記載のディスプレイ：
【化３】
2002532613.tif 000003
式中、
Ｒ１０、Ｒ１１は、Ｒ１、Ｒ２について定義した通りであり、ここでさらに、末端−ＣＨ３基は、各々の場合において、以下の１種のキラルな基（光学的に活性であるかまたはラセミ体である）により置換されていてもよく：
【化４】
2002532613.tif 000004
Ｒ３、Ｒ４、Ｒ５、Ｒ６、Ｒ７は、同一であるかまたは異なっており、各々
ａ）水素
ｂ）１〜１６個の炭素原子を有する直鎖状または分枝状アルキル基（不斉炭素原子を有するかまたは有しない）であり、ここで
ｂ１）１つまたは２つ以上の非隣接または非末端ＣＨ２基は、−Ｏ−により置換されていてもよく、および／または
ｂ２）１つまたは２つのＣＨ２基は、−ＣＨ＝ＣＨ−により置換されていてもよく、
ｃ）Ｒ４およびＲ５は一緒になって、これらがオキシラン、ジオキソラン、テトラヒドロフラン、テトラヒドロピラン、ブチロラクトンまたはバレロラクトン系に結合している場合には、−（ＣＨ２）４−または−（ＣＨ２）５−であってもよく；
Ｒ１２は、水素または１〜１６個の炭素原子を有する直鎖状または分枝状アルキル基（不斉炭素原子を有するかまたは有しない）であり、ここで１つまたは２つ以上のＨはＦにより置換されていてもよく、１つまたは２つの非隣接非末端−ＣＨ２−基は、−Ｏ−により置換されていてもよく、
Ｚ１、Ｚ２、Ｚ３、Ｚ４、Ｚ５、Ｚ６は各々、互いに独立して、ＨまたはＦであり、
【化５】
2002532613.tif 000005
は、ピリジン−２，５−ジイルで、Ｆにより非置換または一置換されているもの、ピリミジン−２，５−ジイルで、Ｆにより非置換または一置換されているもの、ピラジン−２，５−ジイルで、Ｆにより非置換または一置換されているものから成る群から選択された２価の基であり、
【化６】
2002532613.tif 000006
は、シクロヘキサン−１，４−ジイルで、ＣＮ、ＣＨ３により非置換または一置換されているか、またはＦにより二置換されているもの、シクロヘキス−１−エン−１，４−ジイル、ペルフルオロシクロヘキサン−１，４−ジイル、シクロヘキス−２−エン−１，４−ジイル、１−アルキル−１−シラシクロヘキサン−１，４−ジイル、ビシクロ［２．２．２］オクタン−１，４−ジイルから成る群から選択された２価の基である。
【手続補正３】
【補正対象書類名】特許請求の範囲
【補正対象項目名】請求項７
【補正方法】変更
【補正の内容】
【請求項７】
液晶混合物が、３〜３０種類の化合物から構成されており、式（Ｉ）の少なくとも１種の化合物および式（ＩＩ）の少なくとも１種の化合物および、式（ＩＩＩ）、（ＩＶ）、（Ｖ）、（ＶＩ）、（ＶＩＩ）から成る群から選択された少なくとも１種の追加の化合物を含み、ここで、式（ＩＩ）および（ＩＩＩ）の化合物は、請求項６において定義した通りであり、式（ＩＶ）から（ＶＩＩ）の化合物は下記に定義する通りである、
【化７】
2002532613.tif 000007
ここで記号および指数は、請求項６において定義した通りであり、請求項１〜５のいずれかに記載のディスプレイ。
【手続補正４】
【補正対象書類名】特許請求の範囲
【補正対象項目名】請求項８
【補正方法】変更
【補正の内容】
【請求項８】
液晶混合物が、３〜３０種類の化合物から構成されており、式（Ｉ）の少なくとも１種の化合物および式（ＩＩ）の少なくとも１種の化合物および、式（ＶＩＩＩ）、（ＩＸ）、（Ｘ）、（ＸＩ）、（ＸＩＩ）、（ＸＩＩＩ）、（ＸＩＶ）、（ＸＶ）、（ＸＶＩ）、（ＸＶＩＩ）から成る群から選択された少なくとも１種の追加の化合物を含み、ここで、式（ＩＩ）および（ＩＩＩ）の化合物は、請求項６において定義した通りであり、式（ＶＩＩＩ）から（ＸＶＩＩ）の化合物は下記に定義する通りである、
【化８】
2002532613.tif 000008
【化９】
2002532613.tif 000009
式中、記号および指数は、請求項６において定義した通りであるかまたは以下に定義する通りである：
【化１０】
2002532613.tif 000010
は、ナフタレン−２，６−ジイルから成る群から選択された２価の基であり、ここで１つまたは２つの環炭素原子は、Ｎにより置換されていてもよく、これは、ＦまたはＣＮにより一置換または二置換されていることができ、およびここでＤ１またはＤ２はまた、（飽和）脂環であってもよく、
【化１１】
2002532613.tif 000011
は、フェニレン−１，４−ジイルで、ＣＮにより非置換、一置換または二置換されているか、またはＦにより非置換、一置換、二置換、三置換または四置換されている、ピリジン−２，５−ジイルで、Ｆにより非置換または一置換されているもの、ピリミジン−２，５−ジイルで、Ｆにより非置換または一置換されているもの、シクロヘキサン−１，４−ジイルから成る群から選択された２価の基であり、
【化１２】
2002532613.tif 000012
は、インダン−２，５−ジイルで、芳香環においてＦにより非置換、一置換または二置換されているもの、インダン−１−オン−２，６−ジイルで、芳香環においてＦにより非置換、一置換または二置換されているもの、ベンゾチアゾール−２，６−ジイル、ベンゾチアゾール−２，５−ジイル、ベンゾ［ｂ］チオフェン−２，５−ジイル、ベンゾ［ｂ］チオフェン−２，６−ジイルから成る群から選択された２価の基であり、
【化１３】
2002532613.tif 000013
は、（１，３，４）−チアジアゾール−２，５−ジイル、（１，３）−チアゾール−２，５−ジイル、チオフェン−２，５−ジイル、（１，３，４）−オキサジアゾール−２，５−ジイル、（１，３）−オキサゾール−２，５−ジイル、イソオキサゾール−２，５−ジイルから成る群から選択された２価の基であり、
【化１４】
2002532613.tif 000014
は、１，１’−ビフェニル−４，４’−ジイルで、ＣＮにより非置換、一置換または二置換されているかまたは、Ｆにより非置換、一置換、二置換、三置換または四置換されているもの、１，１’−フェニルシクロヘキシル−４，４’−ジイル、５，５’−ピリジルピリミジン−２，２’−ジイルで、複素環の一方または両方においてＦにより非置換または一置換されているもの、５，２’−ピリジルピリミジン−２，５’−ジイルで、複素環の一方または両方においてＦにより非置換または一置換されているもの、１，２’−フェニルジオキサン−４，５’−ジイル、１，２’−（２−フルオロフェニル）ジオキサン−４，５’−ジイル、１，２’−（３−フルオロフェニル）ジオキサン−４，５’−ジイル、１，２’−（２，３−ジフルオロフェニル）ジオキサン−４，５’−ジイルから成る群から選択された２価の基であり、
【化１５】
2002532613.tif 000015
は、１つまたは２つの環炭素原子がＮにより置換されていてもよく、そしてこれはＦにより一置換、二置換、三置換または四置換されていてもよく、ここでＰ２および／またはＰ３は、（飽和）脂環であってもよい２価のフェナントレン−２，７−ジイル基であり、
【化１６】
2002532613.tif 000016
は、Ｕ２における−ＣＨ２−基が、−Ｃ（＝Ｏ）−、−ＣＨＦ−または−ＣＦ２−により置換されていてもよい２価のフルオレン−２，７−ジイル基であり、
【化１７】
2002532613.tif 000017
は、フェニレン−１，３−ジイルで、Ｆにより非置換、一置換または二置換されているもの、シクロヘキサン−１，３−ジイルで、ＦまたはＣＮにより非置換または一置換されているもの、ピリジン−２，６−ジイル、ピリジン−２，４−ジイル、ピリジン−３，５−ジイル、ピリジン−４，６−ジイル、ピリミジン−４，６−ジイルから成る群から選択された２価の基であり、
【化１８】
2002532613.tif 000018
は、フェニレン−１，４−ジイルで、ＣＮまたはＦにより非置換、一置換または二置換されているもの、ナフタレン−２，６−ジイル（ここで１つまたは２つの環炭素原子はＮにより置換されていてもよく、そしてこれはＣＮまたはＦにより一置換または二置換されていてもよい）、シクロヘキサン−１，４−ジイル、シクロヘキス−１−エン−１，４−ジイル、ビシクロ［２．２．２］オクタン−１，４−ジイル、（１，３）−ジオキサン−２，５−ジイル、ピリジン−２，５−ジイルで、Ｆにより非置換または一置換されているもの、ピリミジン−２，５−ジイルで、Ｆにより非置換または一置換されているもの、（１，３，４）−チアジアゾール−２，５−ジイル、インダン−２，５−ジイルで、芳香環においてＦにより非置換、一置換または二置換されているもの、チオフェン−２，５−ジイルから成る群から選択された２価の基であり、
【化１９】
2002532613.tif 000019
は、フェニレン−１，４−ジイルで、ＣＮまたはＦにより非置換、一置換または二置換されているもの、ナフタレン−２，６−ジイル（ここで１つまたは２つの環炭素原子はＮにより置換されていてもよく、そしてこれはＣＮまたはＦにより一置換または二置換されていてもよい）、シクロヘキサン−１，４−ジイル、シクロヘキス−１−エン−１，４−ジイル、ビシクロ［２．２．２］オクタン−１，４−ジイル、（１，３）−ジオキサン−２，５−ジイル、インダン−２，５−ジイルで、芳香環においてＦにより非置換、一置換または二置換されているもの、チオフェン−２，５−ジイルから成る群から選択された２価の基であり、
ｐ、ｑ、ｓは各々０または１であり、
ｒは１または２である
請求項１〜７のいずれかに記載のディスプレイ。
【手続補正５】
【補正対象書類名】明細書
【補正対象項目名】００４８
【補正方法】変更
【補正の内容】
【００４８】
式中、
Ｒ１０、Ｒ１１は、Ｒ１、Ｒ２について定義した通りであり、ここでさらに、末端−ＣＨ３基は、各々の場合において、以下の１種のキラルな基（光学的に活性であるかまたはラセミ体である）により置換されていてもよく：
【手続補正６】
【補正対象書類名】明細書
【補正対象項目名】００８５
【補正方法】変更
【補正の内容】
【００８５】
（ＸＩ）において、
【化１０９】
2002532613.tif 000020
は、（１，３，４）−チアジアゾール−２，５−ジイルであり、
【化１１０】
2002532613.tif 000021
は、フェニレン−１，４−ジイル、ピリジン−２，５−ジイル、シクロヘキサン−１，４−ジイルであり、
ｐは０または１であり、
ｑは０または１であり、ただしｐが１であるときにはｑは０であり、
Ｒ１０、Ｒ１１は、互いに独立して、同一であるかまたは異なっており、各々水素または２〜１６個の炭素原子を有する直鎖状または分枝状アルキルまたはアルキルオキシ基（不斉炭素原子を有するかまたは有しない）であり、ここで、１つまたは２つの非末端−ＣＨ２−基は、−ＣＨ＝ＣＨ−、−ＯＣ（＝Ｏ）−、−Ｃ（＝Ｏ）Ｏ−により置換されていてもよく、１個または２個以上のＨ原子は、Ｆにより置換されていてもよく、
ただし、基Ｒ１０、Ｒ１１の一方のみが、水素であることができる。